(57)【要約】【課題】金銭処理装置が配置される環境の要求に応じて操作性と識別精度の維持との関係を柔軟に対応することができる多国通貨入金対応金銭処理装置を提供すること。【解決手段】基本国通貨及び前記基本国通貨以外の入金対象国通貨の入金識別処理を行う入金識別処理部５ｂと、すべての入金対象国通貨の入金識別処理を行う第１のモードと指定された入金対象国通貨の入金識別処理を行う第２のモードとを有し、第１のモードまたは第２のモードを設定するモード設定部１４ａと、第２のモードにおける入金対象国を指定する入金対象国指定部１４ｂとを備え、入金識別処理部５ｂは、第１のモードが設定された場合はすべての入金対象国通貨に対する入金識別処理を行い、第２のモードが設定された場合は入金対象国指定部１４ｂによって指定された入金対象国通貨に対する入金識別処理を行う。【選択図】図２
2018097538.tif 000002
【特許請求の範囲】
【請求項１】
多国通貨の入金を可能とし基本国通貨で出金を行う多国通貨入金対応金銭処理装置であって、
基本国通貨及び前記基本国通貨以外の入金対象国通貨の入金識別処理を行う入金識別処理部と、
すべての入金対象国通貨の入金識別処理を行う第１のモードと指定された入金対象国通貨の入金識別処理を行う第２のモードとを有し、前記第１のモードまたは前記第２のモードを設定するモード設定部と、
前記第２のモードにおける入金対象国を指定する入金対象国指定部と、
を備え、
前記入金識別処理部は、前記第１のモードが設定された場合はすべての入金対象国通貨に対する入金識別処理を行い、前記第２のモードが設定された場合は指定された入金対象国通貨に対する入金識別処理を行うことを特徴とする多国通貨入金対応金銭処理装置。
【請求項２】
前記入金識別処理部によって識別された入金合計額を、前記基本国通貨に対する換算レートをもとに基本国通貨の入金合計額に換算する入出金制御部を備えたことを特徴とする請求項１に記載の多国通貨入金対応金銭処理装置。
【請求項３】
前記入出金制御部は、基本国通貨の入金合計額をもとに基本国通貨の釣銭を出金させることを特徴とする請求項２に記載の多国通貨入金対応金銭処理装置。
【請求項４】
前記入金対象国指定部は、入金対象国の指定を案内表示することを特徴とする請求項１〜３のいずれか一つに記載の多国通貨入金対応金銭処理装置。
【請求項５】
前記入金対象国指定部による入金対象国の指定は、前記入金識別処理部による入金識別処理中以外のときに可能であることを特徴とする請求項１〜４のいずれか一つに記載の多国通貨入金対応金銭処理装置。
【請求項６】
前記入出金制御部は、前記入金識別処理部によって識別された通貨の入金識別結果を表示させることを特徴とする請求項１〜５のいずれか一つに記載の多国通貨入金対応金銭処理装置。
【請求項７】
前記入金識別処理部によって識別された、前記基本国通貨以外の入金対象国通貨を収納する収納庫を備えたことを特徴とする請求項１〜６のいずれか一つに記載の多国通貨入金対応金銭処理装置。
【請求項８】
前記入金対象国通貨には、金券を含むことを特徴とする請求項１〜７のいずれか一つに記載の多国通貨入金対応金銭処理装置。
【発明の詳細な説明】
【技術分野】
【０００１】
本発明は、装置が配置される環境の要求に応じて操作性と識別精度の維持との関係を柔軟に対応することができる多国通貨入金対応金銭処理装置に関する。
【背景技術】
【０００２】
スーパーマーケットやコンビニエンスストア等の店舗には、客さばきや現金管理の厳正化のため、自動釣銭機などの金銭処理装置が用いられている。これらの金銭処理装置は、有人レジであるが、近年では、有人レジに替わって顧客自身に商品の登録と金銭の授受とを行わせるセルフレジや金銭の授受のみをお客自身が実施するセミセルフレジも普及しつつある。
【０００３】
一方、外国人が旅行時に持ち込む外国通貨や海外旅行からの帰国時に持ち込まれた各国の通貨は、量の大小にかかわらず存在している状況である。このような状況で、例えば、特許文献１には、販売商品に対する代金が他国通貨で支払われ、かつ支払われた金額が商品の販売金額より大きい場合、他国通貨を預り操作するときに、客の要求により釣銭を他国通貨で支払うように選択すると、他国通貨単位で表した釣銭額が表示に表示されるとともにレシートに印字されるものが記載されている。
【０００４】
また、特許文献２には、外国の通貨による支払いが行われた場合であっても、整合性を有する釣り銭を自国通貨によって支払うことができるものが記載されている。
【０００５】
さらに、特許文献３には、外国紙幣の金種及び真贋を識別し、その合計額を計算し、かつその円単位への換算を行うものが記載されている。
【０００６】
また、特許文献４には、外国通貨と自国通貨の両方が使用できる自動販売機システムであって、外国通貨と自国通貨を受け入れ識別して真偽を判定し、受け入れた硬貨が外国通貨である場合に外国貨の金額を自国貨に換算し、自国硬貨で釣銭を払い出すものが記載されている。
【先行技術文献】
【特許文献】
【０００７】
【特許文献１】特開昭６１−１３４８９８号公報
【特許文献２】特開２０００−２１５３５２号公報
【特許文献３】特開平１１−１０２４５５号公報
【特許文献４】特開２０１２−８９００６号公報
【発明の概要】
【発明が解決しようとする課題】
【０００８】
上述した従来の金銭処理装置は、外国通貨と自国通貨との双方の入金識別が可能で、自国通貨で釣銭を払い出すものがあるが、各国の外国通貨の入金識別を行おうとする場合、入金識別対象通貨の増大とともに識別時間がかかってしまうとともに、類似貨幣が増えるために識別精度が低下する。一方、識別精度を上げるためには、入金識別すべき外国通貨の国を選択し、選択した国の外国通貨に限定して入金識別を行えばよい。しかし、この場合、国を選択する操作が増え、入出金時の操作性が低下する。
【０００９】
ところで、上述したように、近年の金銭処理装置では、有人レジと、セルフレジやセミセルフレジとがあり、有人レジの場合、レジ操作者による貨幣の視覚識別が加わるため、入金識別すべき外国通貨の国を選択しなくても識別精度を、ある程度維持することができるとともに、国を選択する操作がないため、操作性も向上する。一方、セルフレジやセミセルフレジでは、無人であるため、入金識別すべき外国通貨の国を選択するという操作性の低下があっても、国の選択によって識別精度を向上させる必要がある。
【００１０】
本発明は、上記に鑑みてなされたものであって、金銭処理装置が配置される環境の要求に応じて操作性と識別精度の維持との関係を柔軟に対応することができる多国通貨入金対応金銭処理装置を提供することを目的とする。
【課題を解決するための手段】
【００１１】
上述した課題を解決し、目的を達成するために、本発明にかかる多国通貨入金対応金銭処理装置は、多国通貨の入金を可能とし基本国通貨で出金を行う多国通貨入金対応金銭処理装置であって、基本国通貨及び前記基本国通貨以外の入金対象国通貨の入金識別処理を行う入金識別処理部と、すべての入金対象国通貨の入金識別処理を行う第１のモードと指定された入金対象国通貨の入金識別処理を行う第２のモードとを有し、前記第１のモードまたは前記第２のモードを設定するモード設定部と、前記第２のモードにおける入金対象国を指定する入金対象国指定部と、を備え、前記入金識別処理部は、前記第１のモードが設定された場合はすべての入金対象国通貨に対する入金識別処理を行い、前記第２のモードが設定された場合は指定された入金対象国通貨に対する入金識別処理を行うことを特徴とする。
【００１２】
また、本発明にかかる多国通貨入金対応金銭処理装置は、上記の発明において、前記入金識別処理部によって識別された入金合計額を、前記基本国通貨に対する換算レートをもとに基本国通貨の入金合計額に換算する入出金制御部を備えたことを特徴とする。
【００１３】
また、本発明にかかる多国通貨入金対応金銭処理装置は、上記の発明において、前記入出金制御部は、基本国通貨の入金合計額をもとに基本国通貨の釣銭を出金させることを特徴とする。
【００１４】
また、本発明にかかる多国通貨入金対応金銭処理装置は、上記の発明において、前記入金対象国指定部は、入金対象国の指定を案内表示することを特徴とする。
【００１５】
また、本発明にかかる多国通貨入金対応金銭処理装置は、上記の発明において、前記入金対象国指定部による入金対象国の指定は、前記入金識別処理部による入金識別処理中以外のときに可能であることを特徴とする。
【００１６】
また、本発明にかかる多国通貨入金対応金銭処理装置は、上記の発明において、前記入出金制御部は、前記入金識別処理部によって識別された通貨の入金識別結果を表示させることを特徴とする。
【００１７】
また、本発明にかかる多国通貨入金対応金銭処理装置は、上記の発明において、前記入金識別処理部によって識別された、前記基本国通貨以外の入金対象国通貨を収納する収納庫を備えたことを特徴とする。
【００１８】
また、本発明にかかる多国通貨入金対応金銭処理装置は、上記の発明において、前記入金対象国通貨には、金券を含むことを特徴とする。
【発明の効果】
【００１９】
本発明によれば、すべての入金対象国通貨の入金識別処理を行う第１のモードと指定された入金対象国通貨の入金識別処理を行う第２のモードとを有し、操作性を重視する第１のモードと識別精度を重視する第２のモードとを切替設定することによって、１台の装置で、装置が配置される環境の要求に応じて操作性と識別精度の維持との関係を柔軟に対応することができる。
【図面の簡単な説明】
【００２０】
【図１】図１は、本発明の実施の形態である多国通貨入金対応金銭処理装置の自動釣銭機の構成を示す斜視図である。
【図２】図２は、多国通貨入金対応金銭処理装置の制御系の構成を示すブロック図である。
【図３】図３は、図１に示した硬貨処理装置の内部構成を模式的に示す平面図である。
【図４】図４は、図１に示した紙幣処理装置の内部構成を概念的に示す側面図である。
【図５】図５は、自動釣銭機の入出金制御部による入出金制御処理手順を示すフローチャートである。
【図６】図６は、入出力部における入金対象国指定部の案内表示内容を示す図である。
【発明を実施するための形態】
【００２１】
以下、添付図面を参照してこの発明を実施するための形態について説明する。
【００２２】
（多国通貨入金対応金銭処理装置の構造）
図１は、本発明の実施の形態である多国通貨入金対応金銭処理装置１０の自動釣銭機１０ａの構成を示す斜視図である。また、図２は、多国通貨入金対応金銭処理装置１０の制御系の構成を示すブロック図である。ここで例示する多国通貨入金対応金銭処理装置１０は、スーパーマーケットやコンビニエンスストア等の店舗においてＰＯＳレジスタ装置１０ｂに自動釣銭機１０ａが接続されて用いられるものである。図１及び図２に示すように、自動釣銭機１０ａの上面は平坦面が形成され、この平坦面には上位装置であるＰＯＳレジスタ装置１０ｂが配置される。自動釣銭機１０ａは、硬貨の入出金を行う硬貨処理装置１と紙幣の入出金を行う紙幣処理装置２とを有する。硬貨処理装置１及び紙幣処理装置２は、直方体状を成す装置本体に覆われ、それぞれが隣接して配置される。
【００２３】
硬貨処理装置１は装置本体の前端上面の右側に硬貨入金口３１を備える。硬貨処理装置１の装置本体の前面左側には、硬貨出金口３８が形成され、硬貨出金口３８から排出された硬貨は受け皿４０で受け止められる。また、装置本体の前面右側には、硬貨返却口３９を備える。一方、紙幣処理装置２の装置本体の前面上部には、紙幣入金口４１及び紙幣出金口４２が設けられる。また、紙幣処理装置２の装置本体の前面下部には、引き出し可能な回収庫５５が設けられる。
【００２４】
硬貨処理装置１は前端上面の左側に表示部３及び操作入力部４を備える。表示部３及び操作入力部４は、紙幣処理装置２の表示部及び操作入力部でもある。
【００２５】
自動釣銭機１０ａは、硬貨処理装置１、紙幣処理装置２、表示部３、操作入力部４、制御部５、記憶部６、及び入出力インターフェースＩＦａを有する。また、ＰＯＳレジスタ装置１０ｂは、入出力部１４、入出金制御部１５、記憶部１６、及び入出力インターフェースＩＦｂを有する。自動釣銭機１０ａとＰＯＳレジスタ装置１０ｂとは、入出力インターフェースＩＦａ，ＩＦｂを介して通信接続される。さらに、入出力部１４は、モード設定部１４ａ、入金対象国指定部１４ｂ、及び入金対象国情報設定部１４ｃを有する。
【００２６】
硬貨処理装置１は、入金された硬貨を識別する検銭部３３、各種センサ群１１及びアクチュエータ群１２を有する。また、紙幣処理装置２は、入金された紙幣を識別する紙幣鑑別センサ４４、各種センサ群２１及びアクチュエータ群２２を有する。また、制御部５は、入出金制御部５ａ及び入金識別処理部５ｂを有する。また、記憶部６は、入出金情報６ａ、モード設定情報６ｂ、入金対象国情報６ｃ、及び換算レート情報６ｄを有する。
【００２７】
入出金制御部５ａは、ＰＯＳレジスタ装置１０ｂから入金許可指令が与えられた後に金銭が投入された場合に、入金許可指令に従って金銭の入金処理を行い、かつＰＯＳレジスタ装置１０ｂから出金指令が与えられた場合に、出金指令に従って金銭の出金処理を行うものである。また、入出金制御部５ａは、これらの入金処理及び出金処理を実行している間、実施した入金処理及び出金処理の内容を入出金情報６ａとして逐次記憶部６に格納する処理も行う。
【００２８】
入金識別処理部５ｂは、検銭部３３あるいは紙幣鑑別センサ４４の識別結果をもとに、基本国通貨（例えば、日本国通貨）及び基本国通貨以外の入金対象国通貨（例えば、米国通貨、中国通貨、台湾通貨など）の金種、真贋の判定などの入金識別処理を行う。この入金識別処理は、記憶部６に記憶された入金対象国情報６ｃをもとに行う。入金対象国情報６ｃは、登録された入金対象国及び入金識別処理の判定に用いる情報などである。この入金対象国情報６ｃは、ＰＯＳレジスタ装置１０ｂの入金対象国情報設定部１４ｃによって予め設定される。
【００２９】
モード設定部１４ａは、登録されたすべての入金対象国通貨の入金識別処理を行う第１のモードと、入金対象国指定部１４ｂによって指定された入金対象国通貨の入金識別処理を行う第２のモードとを有し、第１のモードまたは第２のモードを自動釣銭機１０ａに対して設定する。設定されたモードは、モード設定情報６ｂとして記憶される。
【００３０】
入金識別処理部５ｂは、第１のモードが設定された場合はすべての入金対象国通貨に対する入金識別処理を行い、第２のモードが設定された場合は指定された入金対象国通貨に対する入金識別処理を行う。多国通貨入金対応金銭処理装置１０が有人レジである場合には第１のモードが設定されることが好ましい。有人レジの場合、レジ担当者が通貨の識別を目視で、ある程度でき、入金対象国指定部１４ｂによる指定操作を行わなくて済むからである。また、多国通貨入金対応金銭処理装置１０がセルフレジあるいはセミセルフレジである場合には第２のモードが設定されることが好ましい。セルフレジあるいはセミセルフレジでは、入金識別精度を高める必要があるからである。
【００３１】
入出金制御部５ａは、入金識別処理部５ｂによって識別された入金合計額を、基本国通貨に対する換算レート情報６ｄをもとに基本国通貨の入金合計額に換算する。入出金制御部５ａは、釣銭がある場合、基本国通貨の入金合計額をもとに基本国通貨の釣銭を出金させる。なお、入出金制御部５ａは、入金識別処理部５ｂによって識別された、基本国通貨以外の入金対象国通貨を収納庫、例えば、後述する回収庫３６´や回収庫５５に収納する。
【００３２】
（硬貨処理装置の内部構成）
図３は、図１に示した硬貨処理装置１の内部構成を模式的に示す平面図である。図３において、硬貨入金口３１は、投入された硬貨を装置本体の内部に受け入れるための開口である。硬貨入金口３１に投入された硬貨は、ＰＯＳレジスタ装置１０ｂ側からの入金許可指令を受け、図示せぬ投入検出センサによって検出された後、入金搬送部３２によって搬送される。入金搬送部３２内に設けられた検銭部３３は、識別部として機能し、硬貨の真贋及び金種を判定するとともに金種毎の枚数を計数する。搬送された硬貨が正貨である場合、一時保留部３４に保留される。一方、搬送された硬貨が正貨でない場合、切換ゲートＧ及び硬貨出金口３８を介して受け皿４０に返却される。なお、ＰＯＳレジスタ装置１０ｂあるいは図示しない返却レバーからの返却指示があった場合、一時保留部３４に保留された硬貨は、切換ゲートＧ１を介して硬貨返却口３９に返却される。
【００３３】
その後、一時保留部３４は搬送路として機能し、一時保留部３４に保留された硬貨は、切換ゲートＧ１を介して搬送路である硬貨振分部３５に出力されて搬送される。硬貨振分部３５によって搬送される硬貨は、金種に応じて硬貨収納庫３６に収納されることになる。硬貨収納庫３６に収納される硬貨は、基本国通貨である。また、硬貨振分部３５は、基本国通貨以下の入金対象国通貨である場合、回収庫３６´に収納する。硬貨収納庫３６内の空きの収納庫を回収庫３６´として機能させてもよい。
【００３４】
装置本体の内部には、硬貨収納庫３６として、１円硬貨収納庫３６ａ、５０円硬貨収納庫３６ｂ、５円硬貨収納庫３６ｃ、１００円硬貨収納庫３６ｄ、１０円硬貨収納庫３６ｅ、５００円硬貨収納庫３６ｆの６つが設けてある。そして、各硬貨収納庫３６は、投入された硬貨を金種ごとに個別に収納するようにしている。硬貨振分部３５は、金種に応じた硬貨の直径に従って小さい順に各々の硬貨収納庫３６に収納する。なお、硬貨振分部３５は、基本国通貨以外の入金対象国通貨を回収庫３６´に振り分ける場合、図示しないゲートを用いる。
【００３５】
各硬貨収納庫３６に収納された硬貨は、出金搬送部３７に繰り出される。繰り出された硬貨は、切換ゲートＧ２を介して一時保留部３４に搬送することができる。一時保留部３４は、各硬貨収納庫３６に格納された硬貨を一旦空にして各硬貨収納庫３６の収納枚数数を再計数する精査処理のための精査庫としても機能する。
【００３６】
その後、ＰＯＳレジスタ装置１０ｂ側からの出金指令に応じた金種の硬貨は、各硬貨収納庫３６から、出金搬送部３７、及び切換ゲートＧ２を介して一括して搬出され、硬貨出金口３８から装置本体の外部に払い出される。
【００３７】
（紙幣処理装置の内部構成）
図４は、図１に示した紙幣処理装置２の内部構成を概念的に示す側面図である。図４に示すように、紙幣処理装置２では、紙幣入金口４１から搬送される紙幣は、識別部としての紙幣鑑別センサ４４によって鑑別及び計数された後、金種に応じて紙幣収納庫５１内の千円紙幣収納庫５３、混合庫５４に収納される。千円紙幣収納庫５３には使用頻度の高い千円紙幣が収納される。混合庫５４には五千円紙幣及び１万円紙幣が混合して収納される。精査庫５２は、精査処理時の一時保留部として用いられる。紙幣出金口４２は、千円紙幣収納庫５３及び混合庫５４から搬出された紙幣を装置本体の外部に払い出すための開口であり、装置本体の前面上部に設けてある。なお、回収庫５５は、基本国通貨以下の入金対象国通貨が収納される。
【００３８】
ここで、千円紙幣収納庫５３と精査庫５２との間、及び混合庫５４と精査庫５２との間は、紙幣搬送路５０が配置される。また、紙幣搬送路５０上で、精査庫５２との出入り口に切換ゲートＧ３１、千円紙幣収納庫５３との出入り口に切換ゲートＧ３２、混合庫５４との出入り口に切換ゲートＧ３３が配置される。また、紙幣搬送路５０上に、搬送される紙幣の金種及び通過を検出する画像センサとしてのセンサＳ５０，Ｓ５１が配置されている。
【００３９】
（入出金制御部による入出金制御処理）
ここで、図５に示したフローチャートを参照して、入出金制御部５ａによる入出金制御処理手順について説明する。
【００４０】
まず、入出金制御部５ａは、ＰＯＳレジスタ装置１０ｂ側からの入金指示を受け付ける（ステップＳ１０１）と、モード設定情報６ａを参照して、第１のモードに設定されているか、第２のモードに設定されているかを判断する（ステップＳ１０２）。
【００４１】
第１のモードに設定されている場合（ステップＳ１０２，第１のモード）、入金を許可し（ステップＳ１０３）、入金対象国情報６ｃに登録された入金対象国の全通貨を識別対象とする入金識別処理を入金識別処理部５ｂに行わせ（ステップＳ１０４）、その後、ステップＳ１０８に移行する。
【００４２】
一方、第２のモードに設定されている場合（ステップＳ１０２，第２のモード）、入金対象国指定部１４ｂからの入金対象国指定を受け付け（ステップＳ１０５）、その後、入金を許可する（ステップＳ１０６）。その後、入出金制御部５ａは、指定された入金対象国の通貨を識別対象とする入金識別処理を入金識別処理部５ｂに行わせ（ステップＳ１０７）、その後、ステップＳ１０８に移行する。
【００４３】
ステップＳ１０８では、入金識別処理部５ｂが正貨として識別した入金合計額を、基本国通貨に対する換算レート情報６ｄをもとに基本国通貨の入金合計額に換算する。その後、入出金制御部５ａは、換算された基本国通貨の入金合計額をＰＯＳレジスタ装置１０ｂ側に通知する（ステップＳ１０９）。なお、その際、入金対象国通貨に対する識別結果を通知して入出力部１４に表示させるようにしてもよい。
【００４４】
その後、入出金制御部５ａは、ＰＯＳレジスタ装置１０ｂ側から釣銭指示を受け付ける（ステップＳ１１０）、基本国通貨で釣銭の出金処理を行って（ステップＳ１１１）、本処理を終了する。
【００４５】
なお、ステップＳ１０５における入金対象国の指定を受け付ける場合、入金対象国指定部１４ｂは、図６に示すように、入出力部１４の領域Ｅ１に対して入金対象国指定を促す案内表示を行う。図６では、入金対象国指定として、領域Ｅ１０の日本国（ＪＰＮ）、領域Ｅ１１の米国（ＵＳＡ）、領域Ｅ１２の中国（ＣＨＮ）、領域Ｅ１３の台湾（ＴＷＤ）の４国のうちの１国を指定できるようにしている。この場合、入出力部１４は、顧客側に向いている、あるいは向けることが可能であることが好ましい。すなわち、入金対象国指定部１４ｂによる入金対象国指定は、レジ担当者でも指定できるし、顧客自身でも指定できる。
【００４６】
また、入金対象国指定部１４ｂによる入金対象国の指定は、入金識別処理部５ｂが入金識別処理中以外のときであれば、いつでも可能である。
【００４７】
さらに、上述した入金対象国通貨には、商品券などの金券を含めてもよい。
【００４８】
なお、第２のモードによる入金識別は第１のモードによる入金識別よりも処理時間が短く、精度が高い。これは、例えば、１つの識別対象貨幣に対する識別処理に対して１００個の識別論理処理がある場合、第２のモードでは、この１つの識別対象貨幣の特徴部分である４０個の識別論理処理のみを重点的に行えばよいからである。一方、第１のモードによる入金識別は、すべての識別論理処理、例えば１００個の識別論理処理を行う必要があるため、処理時間がかかるとともに、類似の識別対象貨幣が存在するため、精度が落ちる。ただし、上述したように、第１のモードを有人レジで設定する場合には、レジ担当者の目視識別結果を用いることができるので、識別精度を、ある程度に維持することができる。
【符号の説明】
【００４９】
１  硬貨処理装置
２  紙幣処理装置
３  表示部
４  操作入力部
５  制御部
５ａ，１５  入出金制御部
５ｂ  入金識別処理部
６，１６  記憶部
６ａ  入出金情報
６ｂ  モード設定情報
６ｃ  入金対象国情報
６ｄ  換算レート情報
１０  多国通貨入金対応金銭処理装置
１０ａ  自動釣銭機
１０ｂ  ＰＯＳレジスタ装置
１１，２１  センサ群
１２，２２  アクチュエータ群
１４  入出力部
１４ａ  モード設定部
１４ｂ  入金対象国指定部
１４ｃ  入金対象国情報設定部
３１  硬貨入金口
３２  入金搬送部
３３  検銭部
３４  一時保留部
３５  硬貨振分部
３６  硬貨収納庫
３６´，５５  回収庫
３７  出金搬送部
３８  硬貨出金口
３９  硬貨返却口
４０  受け皿
４１  紙幣入金口
４２  紙幣出金口
４４  紙幣鑑別センサ
５０  紙幣搬送路
５１  紙幣収納庫
５２  精査庫
５３  千円紙幣収納庫
５４  混合庫
Ｇ，Ｇ３１，Ｇ３２，Ｇ３３  切換ゲート
ＩＦａ，ＩＦｂ  入出力インターフェース
【図１】
2018097538.tif 000003
【図２】
2018097538.tif 000004
【図３】
2018097538.tif 000005
【図４】
2018097538.tif 000006
【図５】
2018097538.tif 000007
【図６】
2018097538.tif 000008